(57)【要約】      （修正有）【課題】ティッシュ残量が減少しても、残ったティッシュの上面が常に箱の蓋部下面側に接触した状態となって両者間に隙間ができず、次のティッシュの端を上面蓋部の取り出し口から常に安定して突出させた状態に維持できるティッシュペーパーケースを提供する。【解決手段】ケースは積層ティッシュを水平に収納できる大きさの長方形箱体とし、その上面蓋部２は蝶番により開閉可能として閉じた状態を維持するロック機構を取り付ける。上面蓋部２にはティッシュ引き出し用の長楕円形開口を設ける。ケース内には積層ティッシュ７を支持する上下移動可能な平面中板６を設け、その下面側に該平面中板６を水平姿勢のまま上方に向け付勢するバネ８を取り付ける。上面蓋部２を閉じた状態にロックした状態では、平面中板６上の積層ティッシュ７は残量に関係なくその上面が上面蓋部２の下面側に軽く押しつけられた状態となるように構成する。【選択図】図６
0003217558.tif 000002
【実用新案登録請求の範囲】
【請求項１】
つづら折りして積層したティッシュペーパーを次のティッシュを引き出し易いようにその端を箱上面から突出させておくティッシュペーパーケースであって、
該ケースは前記積層したティッシュを水平に収納できる大きさの長方形箱体で、その上面蓋部は蝶番により開閉可能で、閉じた状態を維持するロック機構が取り付けてあり、上面蓋部には次のティッシュ引き出し用の長楕円形開口が設けてあり、
該ケース内には収納した積層ティッシュを支持する平面中板が、その下面側に該平面中板を水平姿勢のまま上方に向け付勢するバネに支持された状態で取り付けてあり、
前記上面蓋部を閉じた状態にロックした状態では、前記平面中板の上に収納された積層ティッシュは、その残量に関係なくその上面が上面蓋部の下面側に軽く押しつけられた状態となるように構成されていることを特徴とするティッシュペーパーケース。
【請求項２】
請求項１に記載のティッシュペーパーケースにおいて、前記長方形箱体の長手方向両側面には、上下方向に伸びるスリットが形成され、該スリットの箱体内側は透明なプラスチック板で覆われ、該プラスチック板には前記積層ティッシュの残量を外部から視認できように水平な目盛り線が刻まれていることを特徴とするティッシュペーパーケース。
【考案の詳細な説明】
【技術分野】
【０００１】
本考案はつづら折りにして積層したティッシュペーパーを１枚ずつ容易に引き出せる状態で収納しておくティッシュペーパーケースに関し、特には、ケース内ティッシュペーパー残量が減少しても次のティッシュを安定、且つ容易に引き出せる状態で収納でき、且つ、ティッシュペーパーの残量を外部から視認できるティッシュペーパーケースに関する。
【背景技術】
【０００２】
ティッシュペーパーは一般に長方形ケース内につづら折りに積層したティッシュを収納した状態で販売される。使用の際にはケース上面の長楕円状取り出し口から飛び出している最上段ティッシュの端をつまんで引き出す。最上段ティッシュが引き出されると、その下にあった後続のティッシュはつづら折りによりその端が引き出され、取り出し口に設けられたビニールを二つ割りした形状の抵抗付与部との摩擦抵抗により端を取り出し口から突出した状態で留まる。その端をつかんで引くと、次のティッシュを引き出せる。
【０００３】
しかし、このような構造の場合、ケース内のペーパー残量が減少してケース上面の取り出し口と残りティッシュの上面との間隔が開いた場合には、次のティッシュの端が取り出し口から突出した状態では残らないことが起こる。次のティッシュの端が取り出し口から突出していないと、ケースの狭小な取り出し口から手指をケースの奥に差し込んで次のティッシュをつまみ出さねばならず、大変面倒である。こうした事態はティッシュ残量が減少した場合でも、次のティッシュ上面がケース上面の近くにあれば防ぐことができる。
【０００４】
こうした問題を解決するため、例えば、特許文献１には取り出し口のついた上箱と、上箱よりサイズがひとまわり小さい下箱の天板との間で積層したティッシュを挟み込むティッシュペーパーケースが開示されている。しかし、このケースの場合は、ティッシュ残量が多い場合には箱全体の高さが通常の２倍近くになる問題がある。
【０００５】
また、特許文献２にはケース本体の上面部と、これに内蔵させるティッシュの最上部との間に中押さえ板を挿入したティッシュケースが開示されている。ティッシュ残量の減少と共に中押さえ板は下がり、中押さえ板は常にペーパーの最上部にあるため中押さえ板とペーパー最上部との間に隙間はできない。中押さえ板には市販ケースと同じような抵抗付与部が設けてあるので、次のティッシュの端は中押さえ板の上方に突出する。しかし、このケースの場合、中押さえ板の上方に突出する次のティッシュの端を摘むには、ケース上面に設けられた開口に手を差し込んで掴まねばならない。このためティッシュ残量が少なくなった場合には手をかなり奥まで差し込む必要があり面倒である。また、中押さえ板は積層したティッシュの上に載っているだけであるので、ティッシュ引き出しの際に中押さえ板が傾いて、次のティッシュの端が中押さえ板の上に上手く突出しない場合がある。
【先行技術文献】
【特許文献】
【０００６】
【特許文献１】特開２００４−２６２９４号公報
【特許文献２】特開平０７−２５７６６７号公報
【考案の概要】
【考案が解決しようとする課題】
【０００７】
本考案は、従来技術のこうした問題点を解決するためになされたもので、その課題は、ティッシュ残量が減少しても、残ったティッシュの上面が常に箱の上面下側に接触した状態となって両者間に隙間ができず、次のティッシュの端が箱上面の取り出し口から常に安定して突出した状態になり、併せてティッシュ残量を外部から視認できるティッシュペーパーケースを提供することにある。
【課題を解決するための手段】
【０００８】
前記課題を解決するための請求項１に記載の考案は、つづら折りして積層したティッシュペーパーを次のティッシュを引き出し易いようにその端を箱上面から突出させておくティッシュペーパーケースであって、該ケースは前記積層したティッシュを水平に収納できる大きさの長方形箱体で、その上面蓋部は蝶番により開閉可能で、閉じた状態を維持するロック機構が取り付けてあり、上面蓋部には次のティッシュ引き出し用の長楕円形開口が設けてあり、該ケース内には収納した積層ティッシュを支持する平面中板が、その下面側に該平面中板を水平姿勢のまま上方に向け付勢するバネに支持された状態で取り付けてあり、前記上面蓋部を閉じた状態にロックした状態では、前記平面中板の上に収納された積層ティッシュは、その残量に関係なくその上面が上面蓋部の下面側に軽く押しつけられた状態となるように構成されていることを特徴とするティッシュペーパーケースである。
【０００９】
このような構成によれば、ケース内の平面中板の上に載置されたティッシュは、常にバネで上方に付勢され、その上面はティッシュ残量に無関係に上面蓋部の下面に軽く押しつけられた状態になって上面蓋部下面とティッシュ上面との間に隙間は生じない。このため、次に引きだされるティッシュの端は確実に上面蓋部から上方に突出した状態になり、安定した取り出しが可能になる。
【００１０】
また、請求項２に記載の考案は、請求項１に記載のティッシュペーパーケースにおいて、前記長方形箱体の長手方向両側面には、上下方向に伸びるスリットが形成され、該スリットの箱体内側は透明なプラスチック板で覆われ、該プラスチック板には前記積層ティッシュの残量を外部から視認できように水平な目盛り線が刻まれていることを特徴とするティッシュペーパーケースである。
【００１１】
このような目盛り線を刻んだプラスチック板を貼りつけたスリットが設けてあれば、ケース内の積層ティッシュ残量をケースの外から容易に確認することができる。
【図面の簡単な説明】
【００１２】
【図１】ティッシュペーパーケース１の外観斜視図である。
【図２】ティッシュペーパーケース１の平面図である。
【図３】ティッシュペーパーケース１の左側面図である。
【図４】蓋部２の開閉動作を示す図である。
【図５】図２のＡ−Ａ線に沿った縦断面図である。
【図６】積層ティッシュ７の残量が多いときの縦断面図である。
【図７】積層ティッシュ７の残量が少ないときの縦断面図である。
【考案を実施するための形態】
【００１３】
以下、本考案に係るティッシュペーパーケースの一実施形態について図面を参照して説明する。図１は本考案に係るティッシュペーパーケース１の外観斜視図、図２はその上面である平面図、図３は左側面図である。
【００１４】
ティッシュペーパーケース１は、つづら折りして積層したティッシュを水平にして収納できる大きさの長方形箱体である。その上面には蓋部２が取り付けてあり、該蓋部２は図４に示すように箱本体部３に蝶番４で取り付けてあり、箱本体部３の上方開口を開閉可能に塞ぐ。また、該蓋部２が閉じた状態を維持できるように、蓋部２と箱本体部３間にはロック機構５が設けてある。本実施形態ではロック機構５としてパチン錠を採用している。
【００１５】
上面蓋部には、次のティッシュを引き出すための長楕円形開口２ａが設けてある。その下面側には、長手方向に狭いスリット２ｂを設けたビニール２ｃが貼りつけてある。この狭いスリット２ｂを設けたビニール２ｃは、市販の厚紙製ティッシュペーパーケースの上面に取り付けられているものと同じ構造であり、次に取り出されるティッシュに対して摩擦抵抗を与える抵抗付与部として機能する。長楕円形開口２ａから端の突出しているティッシュを引き出すと、つづら折りのため次のティッシュの端が一緒に長楕円形開口２ａから引き出される。引き出される際に、次のティッシュは抵抗付与部による摩擦抵抗を受け、引き出しに抵抗する力が働く。その引き出しに抵抗する力により、先に引き出されたティッシュとの間のつづら折りによる繋がりが解けて、次のティッシュは、端を長楕円形開口２ａから突出させた状態でケース１内に残る。この繰り返しによりティッシュは一枚ずつ引き出される。
【００１６】
図５は、図２の平面図におけるＡ−Ａ線に沿った縦断面図である。ケース１内には上下移動可能な平面中板６が設けられ、積層ティッシュ７はその上に載せられている。平面中板６の下面側と箱本体部３の内底面との間にはバネ８が取り付けてある。本実施形態ではバネ８は左右に３個ずつ取り付けてある。平面中板６は、そのバネ８から水平姿勢で上方に向かう付勢力を受ける。この付勢力により平面中板６は積層ティッシュ７を持ち上げ、積層ティッシュ７の上面を蓋部２の下面に接触させた状態で静止する。
【００１７】
図６は積層ティッシュ７の量が多いときの状態、図７は積層ティッシュ７の残量が少ないときの状態である。このように積層ティッシュ７の残量の多寡に関わらず、積層ティッシュ７の上面は常に蓋部２の下面に軽く接触した状態となって蓋部２下面と積層ティッシュ７上面との間に隙間は生じない。図５、図６、図７は、積層ティッシュ７の一番上のティッシュの端が蓋部２の長楕円形開口２ａから突出した状態で留まっている状態を表している。
【００１８】
水平断面長方形の箱本体部３の長手方向両側面には、上下方向に伸びるスリット１０が形成され、該スリット１０の箱体内側には透明なプラスチック板１１が貼ってある。透明プラスチック板１１を貼ったスリット１０により、内部の積層ティッシュ７の残量を外部から視認できる。透明プラスチック板１１には、残量の目安を示す水平目盛り線が刻まれている。
【００１９】
以上説明した本実施形態のティッシュペーパーケース１では、ケース１内の平面中板６の上に載置された積層ティッシュ７は、常にバネ８で上方に付勢されてその上面はティッシュ残量に無関係に上面蓋部２の下面に軽く押しつけられた状態となって上面蓋部２の下面と積層ティッシュ７上面との間に隙間は生じない。このため次に引きだされるティッシュの端は確実に上面蓋部２から上方に突出した状態となり、安定した取り出しが可能になる。また、箱本体部３の長手方向両側面には目盛り線を刻んだ透明プラスチック板１１を貼りつけたスリット１０が設けてあるので、ケース内の積層ティッシュ残量をケース１の外から容易に確認することができる。
【符号の説明】
【００２０】
図面中、１はティッシュペーパーケース、２は蓋部、２ａは長楕円形開口、２ｂはスリット、２ｃはビニール、４は蝶番、５はロック機構、６は平面中板、７は積層ティッシュ、８はバネ、１０はスリット、１１はプラスチック板を示す。
【図１】
0003217558.tif 000003
【図２】
0003217558.tif 000004
【図３】
0003217558.tif 000005
【図４】
0003217558.tif 000006
【図５】
0003217558.tif 000007
【図６】
0003217558.tif 000008
【図７】
0003217558.tif 000009